【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
（ａ）
（ｉ）ポリオール；
（ｉｉ）ポリイソシアネート；および
（ｉｉｉ）内部界面活性剤
の触媒反応生成物である、ウレタンプレポリマー；
（ｂ）中和剤；ならびに
（ｃ）エチレンジアミン、１，２−プロパンジアミン、１，６−ヘキサメチレンジアミン、ピペラジン、２，５−ジメチルピペラジン、イソホロンジアミン、４，４’−ジシクロヘキシルメタンジアミン、３，３’−ジメチル−４，４’−ジシクロヘキシルメタンジアミン、１，４−シクロヘキサンジアミン、Ｎ−ヒドロキシメチルアミノエチルアミン、Ｎ−ヒドロキシエチルアミノエチルアミン、Ｎ−ヒドロキシプロピルアミノプロピルアミン、Ｎ−エチルアミノエチルアミン、Ｎ−メチルアミノプロピルアミン、ジエチレントリアミン、ジプロピレントリアミン、トリエチレンテトラミン、およびこれらの混合物からなる群から選択される鎖延長剤
の反応生成物であるポリウレタン分散物と、
ＴｉＯ２顔料、蛍光顔料、燐光顔料およびこれらの混合物からなる群から選択される顔料であって、前記ポリイソシアネートに対して反応性ではない顔料と、
を含む、封入された顔料の分散物であって、
前記封入された顔料の分散物は、
ウレタンプレポリマーを調製することと、
ウレタンプレポリマーと中和剤とを反応させて、中和されたプレポリマーを作製することと、
中和されたプレポリマーに顔料を加えることと、
中和されたプレポリマーに水を加えて、中和されたプレポリマーの水性分散物を作製することと、
中和されたプレポリマーの水性分散物と鎖延長剤とを反応させることによって、封入された顔料の分散物を製造することと、
を含むプロセスによって得られ、
ウレタンプレポリマーと中和剤とを反応させて、中和されたプレポリマーを作製する工程は、中和されたプレポリマーの水性分散物と鎖延長剤とを反応させることによって、封入された顔料の分散物を製造する工程より前に行われる、
封入された顔料の分散物。
【請求項２】
室温での粘度が２〜１５０ｃｐである、請求項１に記載の封入された顔料の分散物。
【請求項３】
室温での表面張力が１５〜６５ダイン／ｃｍである、請求項１に記載の封入された顔料の分散物。
【請求項４】
前記ポリオールに対する前記内部界面活性剤の化学量論的なモル当量比は、０．５〜２であり、前記プレポリマー中の合計ＯＨ基に対するＮＣＯ基の化学量論的なモル当量比は、１〜３である、請求項１に記載の封入された顔料の分散物。
【請求項５】
前記顔料は、前記封入された顔料の分散物の０．１〜３０重量％の量で存在する、請求項１に記載の封入された顔料の分散物。
【請求項６】
前記ポリオールは、ポリエーテルポリオール、ポリエステルポリオール、ポリアクリレートポリオール、ポリカーボネートポリオール、およびこれらの組み合わせからなる群から選択される、請求項１に記載の封入された顔料の分散物。
【請求項７】
前記内部界面活性剤は、アニオン性内部界面活性剤、カチオン性内部界面活性剤、およびこれらの組み合わせからなる群から選択される、請求項１に記載の封入された顔料の分散物。
【請求項８】
前記内部界面活性剤は、ジメチロールプロピオン酸を含む、請求項１に記載の封入された顔料の分散物。
【請求項９】
前記中和剤は、トリアルキルアミンを含む、請求項１に記載の封入された顔料の分散物。
【請求項１０】
前記中和されたプレポリマーは、重量平均分子量が１，０００〜２０，０００である、請求項１に記載の封入された顔料の分散物。
【請求項１１】
ウレタンプレポリマーと中和剤とを反応させた後、中和されたプレポリマーに水性分散物を加える前に、顔料を加える工程を行う、請求項１に記載の封入された顔料の分散物。
【請求項１２】
（ａ）
（ｉ）ポリオール；
（ｉｉ）ポリイソシアネート；および
（ｉｉｉ）内部界面活性剤
の触媒反応生成物であるウレタンプレポリマーであって、前記ポリオールに対する前記内部界面活性剤の化学量論的なモル当量比が、０．５〜２．０であり、前記プレポリマー中の合計ＯＨ基に対するＮＣＯ基の化学量論的なモル当量比が、１．２〜２．０である、ウレタンプレポリマー；
（ｂ）中和剤；ならびに
（ｃ）エチレンジアミン、１，２−プロパンジアミン、１，６−ヘキサメチレンジアミン、ピペラジン、２，５−ジメチルピペラジン、イソホロンジアミン、４，４’−ジシクロヘキシルメタンジアミン、３，３’−ジメチル−４，４’−ジシクロヘキシルメタンジアミン、１，４−シクロヘキサンジアミン、Ｎ−ヒドロキシメチルアミノエチルアミン、Ｎ−ヒドロキシエチルアミノエチルアミン、Ｎ−ヒドロキシプロピルアミノプロピルアミン、Ｎ−エチルアミノエチルアミン、Ｎ−メチルアミノプロピルアミン、ジエチレントリアミン、ジプロピレントリアミン、トリエチレンテトラミン、およびこれらの混合物からなる群から選択される鎖延長剤
の反応生成物である、ポリウレタン分散物と、
前記ポリイソシアネートに対して反応性ではない顔料を含む水性顔料分散物と、
を含む、封入された顔料の分散物であって、
前記顔料が、前記ポリウレタン分散物に封入されており、
前記封入された顔料の分散物は、室温での粘度が２〜１５０ｃｐ、室温での表面張力が１５〜６５ダイン／ｃｍであり、
前記封入された顔料の分散物は、
ウレタンプレポリマーを調製することと、
ウレタンプレポリマーと中和剤とを反応させて、中和されたプレポリマーを作製することと、
中和されたプレポリマーに水を含む水性分散物を加えて、中和されたプレポリマーの水性分散物を作製することと、
中和されたプレポリマーの水性分散物と鎖延長剤とを反応させることによって、封入された顔料の分散物を製造することと、
を含むプロセスによって得られ、
ウレタンプレポリマーと中和剤とを反応させて、中和されたプレポリマーを作製する工程は、中和されたプレポリマーの水性分散物と鎖延長剤とを反応させることによって、封入された顔料の分散物を製造する工程より前に行われる、
封入された顔料の分散物。
【請求項１３】
（ａ）
（ｉ）ポリオール；
（ｉｉ）ポリイソシアネート；および
（ｉｉｉ）内部界面活性剤
の触媒反応生成物である、ウレタンプレポリマー；
（ｂ）中和剤；ならびに
（ｃ）エチレンジアミン、１，２−プロパンジアミン、１，６−ヘキサメチレンジアミン、ピペラジン、２，５−ジメチルピペラジン、イソホロンジアミン、４，４’−ジシクロヘキシルメタンジアミン、３，３’−ジメチル−４，４’−ジシクロヘキシルメタンジアミン、１，４−シクロヘキサンジアミン、Ｎ−ヒドロキシメチルアミノエチルアミン、Ｎ−ヒドロキシエチルアミノエチルアミン、Ｎ−ヒドロキシプロピルアミノプロピルアミン、Ｎ−エチルアミノエチルアミン、Ｎ−メチルアミノプロピルアミン、ジエチレントリアミン、ジプロピレントリアミン、トリエチレンテトラミン、およびこれらの混合物からなる群から選択される鎖延長剤
の反応生成物であるポリウレタン分散物と、
ＴｉＯ２顔料、蛍光顔料、燐光顔料およびこれらの混合物からなる群から選択される顔料であって、前記ポリイソシアネートに対して反応性ではない顔料と、
を含む封入された顔料の分散物を含む、インクジェットインク組成物であって、
前記封入された顔料の分散物は、
ウレタンプレポリマーを調製することと、
ウレタンプレポリマーと中和剤とを反応させて、中和されたプレポリマーを作製することと、
中和されたプレポリマーに水を含む水性分散物を加えて、中和されたプレポリマーの水性分散物を作製することと、
中和されたプレポリマーの水性分散物と鎖延長剤とを反応させることによって、封入された顔料の分散物を製造することと、
を含むプロセスによって得られ、
前記プロセスは、中和されたプレポリマーの水性分散物と鎖延長剤とを反応させる前に行われる、顔料を加える工程を更に含み、
ウレタンプレポリマーと中和剤とを反応させて、中和されたプレポリマーを作製する工程は、中和されたプレポリマーの水性分散物と鎖延長剤とを反応させることによって、封入された顔料の分散物を製造する工程より前に行われる、
インクジェットインク組成物。
【請求項１４】
前記封入された顔料の分散物は、室温での粘度が２〜１５０ｃｐ、室温での表面張力が１５〜６５ダイン／ｃｍである、請求項１３に記載のインクジェットインク組成物。